(57)【要約】【課題】電力ケーブルの曲部の曲げ半径が許容曲げ半径以内であるか否かを容易に判定することができる電力ケーブル曲げ半径判定装置を提供する。【解決手段】電力ケーブル１の曲部の曲げ半径が許容曲げ半径以内であるか否かを判定する際に、第１乃至第３の伸縮部材２０，３０，４０を支持棒５０から先端までの長さが電力ケーブル１の曲げ半径の許容曲げ半径と略同じになるように伸ばし、第１および第３の伸縮部材２０，４０を電力ケーブル１の曲部の判定範囲の両端にそれぞれ当接させたのち、支持棒５０を中心に第２の伸縮部材３０を回転させて第１および第３の伸縮部材２０，４０間を移動させた際に、第２の伸縮部材３０の先端が電力ケーブル１に当接したままか離れると電力ケーブル１の曲部の曲げ半径が許容曲げ半径以内であると判定する。【選択図】図１
2014137315.tif 000002
【特許請求の範囲】
【請求項１】
電力ケーブルの曲部の曲げ半径が許容曲げ半径以内であるか否かを判定するための電力ケーブル曲げ半径判定装置（１０）であって、
前記電力ケーブルの曲部の曲げ半径が許容曲げ半径以内であるか否かを判定する際に、支持棒（５０）から先端までの長さが該電力ケーブルの曲げ半径の許容曲げ半径と略同じになるように伸ばされるとともに、該支持棒を中心に回転させられて先端が該電力ケーブルの曲部の判定範囲の両端にそれぞれ当接される第１および第３の伸縮部材（２０，４０）と、
前記電力ケーブルの曲部の曲げ半径が許容曲げ半径以内であるか否かを判定する際に、前記支持棒から先端までの長さが該電力ケーブルの曲げ半径の許容曲げ半径と略同じになるように伸ばされるとともに、該支持棒を中心に回転させられて前記第１および第３の伸縮部材間を移動させられる第２の伸縮部材（３０）とを具備し、
前記第１乃至第３の伸縮部材が、該第１乃至第３の伸縮部材の順番で上から重ねられ、
前記第１乃至第３の伸縮部材の末端部が、前記支持棒を中心に回転可能に該支持棒によって支持されており、
前記第２の伸縮部材を前記第１および第３の伸縮部材間を移動させた際に該第２の伸縮部材の先端が前記電力ケーブルに当接したままか離れると、該電力ケーブルの曲部の曲げ半径が許容曲げ半径以内であると判定する、
ことを特徴とする、電力ケーブル曲げ半径判定装置。
【請求項２】
前記第１乃至第３の伸縮部材が、入子構造をしているとともに、第１乃至第３の固定板（２１，３１，４１）および第１乃至第３の可動板（２２，３２，４２）からそれぞれなり、
前記第１の可動板（２２）の先端部分が、前記第１の伸縮部材（２０）の先端側から見た場合に前記第１の固定板（２１）から左側に突出したのちに下方に垂直に曲げられたＬ字状の形状をしており、
前記第３の可動板（４２）の先端部分が、前記第３の伸縮部材（４０）の先端側から見た場合に前記第３の固定板（４１）から右側に突出したのちに上方に垂直に曲げられたＬ字状の形状をしており、
前記第１の可動板の前記第１の固定板から突出した先端部分の先端面、前記第２の可動板の先端面および前記第３の可動板の前記第３の固定板から突出した先端部分の先端面に、半球体状の第１乃至第３の先端部（２２ａ，３２ａ，４２ａ）がそれぞれ固定されており、
前記第１乃至第３の伸縮部材を閉じた状態では前記第１乃至第３の先端部が横一列に並ぶようにされているとともに、該第１乃至第３の伸縮部材を開いた状態では該第１乃至第３の先端部の高さを揃えることができるようにされている、
ことを特徴とする、請求項１記載の電力ケーブル曲げ半径判定装置。
【請求項３】
前記第１乃至第３の固定板の上面の末端部に、前記支持棒を貫通させるための第１乃至第３の貫通孔（２１ｂ，３１ｂ，４１ｂ）がそれぞれ形成されており、
前記第１乃至第３の固定板の上面の先端部に、前記電力ケーブルの太さを示す数字を表示させるための第１の乃至第３の表示窓（２１ｃ，３１ｃ，４１ｃ）がそれぞれ形成されており、
前記第１乃至第３の固定板の上面の前記第１乃至第３の貫通孔と前記第１の乃至第３の表示窓との間に、第１乃至第３のノッチ孔（１２ａ，３１ａ，４１ａ）が複数個ずつ一列にそれぞれ形成されており、
前記第１乃至第３の可動板の末端部に、第１乃至第３の圧縮バネによって上方に付勢させられた第１乃至第３のノッチピン（２２ｂ，３２ｂ，４２ｂ）がそれぞれ取り付けられている、
ことを特徴とする、請求項２記載の電力ケーブル曲げ半径判定装置。
【請求項４】
前記複数個ずつの第１乃至第３のノッチ孔が、前記支持棒から先端までの長さが前記電力ケーブルの太さに応じて定められた許容曲げ半径と略同じ長さとなるように前記第１乃至第３の可動板を前記第１乃至第３の固定板からそれぞれ引き出したときに前記第１乃至第３のノッチピンが係合する位置に形成されていることを特徴とする、請求項３記載の電力ケーブル曲げ半径判定装置。
【請求項５】
前記第１乃至第３の可動板の上面に、前記電力ケーブルの複数の太さをそれぞれ示す複数個の数字が、該複数個の数字のうち前記第１乃至第３のノッチピンを前記第１乃至第３のノッチ孔と係合させたときの対応する該電力ケーブルの太さを示す１つの数字が前記第１乃至第３の表示窓に表示される位置に記されていることを特徴とする、請求項４記載の電力ケーブル曲げ半径判定装置。
【発明の詳細な説明】
【技術分野】
【０００１】
本発明は、電力ケーブルの曲部（曲がり部分）の曲げ半径の管理に好適な電力ケーブル曲げ半径判定装置に関する。
【背景技術】
【０００２】
電力会社では、電力ケーブル布設時の曲げ半径の管理は、外見の観察、または、メジャーなどを利用して電力ケーブの曲部の中心点付近の任意の点から対象電力ケーブルまでの距離を２点計測することにより、曲げ半径が許容曲げ半径（許容値）以内であるか否かを判定している。
【０００３】
なお、下記の特許文献１〜３には、湾曲部の外径側２点に測定具を当接させて、この測定具から湾曲部最近部までの距離を測定することにより、曲げ半径（直径）を測定する装置が開示されている。
【０００４】
また、下記の特許文献４には、湾曲部の内径側２点に測定具を当接させてこの測定具から湾曲部最遠部までの距離を測定することにより、曲げ半径（直径）を測定する多目的曲率半径測定器が開示されている。
【先行技術文献】
【特許文献】
【０００５】
【特許文献１】特開平６−２９４６０１号公報
【特許文献２】特開平１０−２６５０２号公報
【特許文献３】特開２００４−１３８３８８号公報
【特許文献４】特開２００１−３１７９０７号公報
【発明の概要】
【発明が解決しようとする課題】
【０００６】
しかしながら、上記の特許文献１〜３に開示されている装置では、半径の異なる曲部の測定時には、対象電力ケーブルに最初にあてがう２点の測定具の位置をそれぞれ変えて測定する必要があるという問題がある。
また、上記の特許文献４に開示されている多目的曲率半径測定器では、半径の数値は即時に分かるが、その都度判定基準を見て曲げ半径が許容曲げ半径以内であるか否かを判断する必要があるという問題がある。
【０００７】
本発明の目的は、電力ケーブルの曲部の曲げ半径が許容曲げ半径以内であるか否かを容易に判定することができる電力ケーブル曲げ半径判定装置を提供することにある。
【課題を解決するための手段】
【０００８】
本発明の電力ケーブル曲げ半径判定装置は、電力ケーブルの曲部の曲げ半径が許容曲げ半径以内であるか否かを判定するための電力ケーブル曲げ半径判定装置（１０）であって、前記電力ケーブルの曲部の曲げ半径が許容曲げ半径以内であるか否かを判定する際に、支持棒（５０）から先端までの長さが該電力ケーブルの曲げ半径の許容曲げ半径と略同じになるように伸ばされるとともに、該支持棒を中心に回転させられて先端が該電力ケーブルの曲部の判定範囲の両端にそれぞれ当接される第１および第３の伸縮部材（２０，４０）と、前記電力ケーブルの曲部の曲げ半径が許容曲げ半径以内であるか否かを判定する際に、前記支持棒から先端までの長さが該電力ケーブルの曲げ半径の許容曲げ半径と略同じになるように伸ばされるとともに、該支持棒を中心に回転させられて前記第１および第３の伸縮部材間を移動させられる第２の伸縮部材（３０）とを具備し、前記第１乃至第３の伸縮部材が、該第１乃至第３の伸縮部材の順番で上から重ねられ、前記第１乃至第３の伸縮部材の末端部が、前記支持棒を中心に回転可能に該支持棒によって支持されており、前記第２の伸縮部材を前記第１および第３の伸縮部材間を移動させた際に該第２の伸縮部材の先端が前記電力ケーブルに当接したままか離れると、該電力ケーブルの曲部の曲げ半径が許容曲げ半径以内であると判定することを特徴とする。
ここで、前記第１乃至第３の伸縮部材が、入子構造をしているとともに、第１乃至第３の固定板（２１，３１，４１）および第１乃至第３の可動板（２２，３２，４２）からそれぞれなり、前記第１の可動板（２２）の先端部分が、前記第１の伸縮部材（２０）の先端側から見た場合に前記第１の固定板（２１）から左側に突出したのちに下方に垂直に曲げられたＬ字状の形状をしており、前記第３の可動板（４２）の先端部分が、前記第３の伸縮部材（４０）の先端側から見た場合に前記第３の固定板（４１）から右側に突出したのちに上方に垂直に曲げられたＬ字状の形状をしており、前記第１の可動板の前記第１の固定板から突出した先端部分の先端面、前記第２の可動板の先端面および前記第３の可動板の前記第３の固定板から突出した先端部分の先端面に、半球体状の第１乃至第３の先端部（２２ａ，３２ａ，４２ａ）がそれぞれ固定されており、前記第１乃至第３の伸縮部材を閉じた状態では前記第１乃至第３の先端部が横一列に並ぶようにされているとともに、該第１乃至第３の伸縮部材を開いた状態では該第１乃至第３の先端部の高さを揃えることができるようにされていてもよい。
前記第１乃至第３の固定板の上面の末端部に、前記支持棒を貫通させるための第１乃至第３の貫通孔（２１ｂ，３１ｂ，４１ｂ）がそれぞれ形成されており、前記第１乃至第３の固定板の上面の先端部に、前記電力ケーブルの太さを示す数字を表示させるための第１の乃至第３の表示窓（２１ｃ，３１ｃ，４１ｃ）がそれぞれ形成されており、前記第１乃至第３の固定板の上面の前記第１乃至第３の貫通孔と前記第１の乃至第３の表示窓との間に、第１乃至第３のノッチ孔（１２ａ，３１ａ，４１ａ）が複数個ずつ一列にそれぞれ形成されており、前記第１乃至第３の可動板の末端部に、第１乃至第３の圧縮バネによって上方に付勢させられた第１乃至第３のノッチピン（２２ｂ，３２ｂ，４２ｂ）がそれぞれ取り付けられていてもよい。
前記複数個ずつの第１乃至第３のノッチ孔が、前記支持棒から先端までの長さが前記電力ケーブルの太さに応じて定められた許容曲げ半径と略同じ長さとなるように前記第１乃至第３の可動板を前記第１乃至第３の固定板からそれぞれ引き出したときに前記第１乃至第３のノッチピンが係合する位置に形成されていてもよい。
前記第１乃至第３の可動板の上面に、前記電力ケーブルの複数の太さをそれぞれ示す複数個の数字が、該複数個の数字のうち前記第１乃至第３のノッチピンを前記第１乃至第３のノッチ孔と係合させたときの対応する該電力ケーブルの太さを示す１つの数字が前記第１乃至第３の表示窓に表示される位置に記されていてもよい。
【発明の効果】
【０００９】
本発明の電力ケーブル曲げ半径判定装置は、以下に示す効果を奏する。
（１）第２の伸縮部材を第１および第３の伸縮部材間を移動させるだけでよいため、電力ケーブルの曲部の曲げ半径が許容曲げ半径以内であるか否かを容易に判定することができる。
（２）判定に特殊な技術を必要としないため、誰でも簡単に判定できる。
（３）第１乃至第３の伸縮部材を用いて構成されているため、外径が異なる電力ケーブルにも対応可能である。
【図面の簡単な説明】
【００１０】
【図１】本発明の一実施例による曲げ半径判定装置１０の構成を示す図であり、（ａ）は第１乃至第３の伸縮部材２０，３０，４０を開いた状態を示す上面図であり、（ｂ）は第１乃至第３の伸縮部材２０，３０，４０を閉じた状態を示す上面図および右側面図である。
【図２】図１に示した第１乃至第３の伸縮部材２０，３０，４０の構成を示す図であり、（ａ）は第１の伸縮部材２０の構成を示す上面図であり、（ｂ）は第２の伸縮部材３０の構成を示す上面図であり、（ｃ）は第３の伸縮部材４０の構成を示す上面図である。
【図３】７個の第１のノッチ孔２１ａの形成方法について説明するための上面図である。
【図４】７個の第１のノッチ孔２１ａの形成方法について説明するための上面図である。
【図５】７個の第２のノッチ孔３１ａの形成方法について説明するための上面図である。
【図６】７個の第２のノッチ孔３１ａの形成方法について説明するための上面図である。
【図７】図１に示した曲げ半径判定装置１０の使用方法について説明するための図であり、（ａ）は電力ケーブル１の曲部の曲げ半径が許容曲げ半径と等しい場合について説明するための上面図であり、（ａ）は電力ケーブル１の曲部の曲げ半径が許容曲げ半径以内である場合について説明するための上面図である。
【発明を実施するための形態】
【００１１】
上記の目的を、電力ケーブルの曲部の曲げ半径が許容曲げ半径以内であるか否かを判定する際に、第１乃至第３の伸縮部材を支持棒から先端までの長さが電力ケーブルの曲げ半径の許容曲げ半径と略同じになるように伸ばし、第１および第３の伸縮部材を電力ケーブルの曲部の判定範囲の両端にそれぞれ当接させたのち、支持棒を中心に第２の伸縮部材を回転させて第１および第３の伸縮部材間を移動させた際に、第２の伸縮部材の先端が電力ケーブルに当接したままか離れると電力ケーブルの曲部の曲げ半径が許容曲げ半径以内であると判定することにより実現した。
【実施例１】
【００１２】
以下、本発明の電力ケーブル曲げ半径判定装置の実施例について、図面を参照して説明する。
本発明の電力ケーブル曲げ半径判定装置は、以下の点を特徴とする。
（１）電力ケーブルについては曲げ半径が許容曲げ半径以内で曲げられて布設されているか否かが問題であって、電力ケーブルの曲部の曲げ半径の数値自体は問題でない点に鑑みて、電力ケーブルの曲部の曲げ半径が許容曲げ半径以内であるか否かを判定することを特徴とする。
（２）電力ケーブルの曲部の曲げ半径が許容曲げ半径以内であるか否かの判定は、対象電力ケーブルの外径により異なるため、外径が異なる電力ケーブルに対応可能とされている。
【００１３】
そのため、本発明の一実施例による電力ケーブル曲げ半径判定装置１０（以下、「曲げ半径判定装置１０」と称する。）は、図１（ａ）に示すように、第１乃至第３の伸縮部材２０，３０，４０と、支持棒５０とを具備する。
【００１４】
ここで、第１乃至第３の伸縮部材２０，３０，４０は、この順番に上から重ねられて、支持棒５０を中心に回転可能に末端部が支持棒５０によって支持されている。
これにより、図１（ａ）に矢印で示すように支持棒５０を中心として第１乃至第３の伸縮部材２０，３０，４０を任意の角度に開くことができる。
【００１５】
また、第１乃至第３の伸縮部材２０，３０，４０は、矩形板状の入子構造をしており、図２（ａ）〜（ｃ）に示すように第１乃至第３の固定板２１，３１，４１および第１乃至第３の可動板２２，３２，４２からそれぞれなる。
図１（ｂ）に示すように、第１の可動板２２の先端部分は、第１の伸縮部材２０の先端側から見た場合に第１の固定板２１から左側に突出したのちに下方に垂直に曲げられたＬ字状の形状をしている（そのため、第１の固定板２１の表面（図２（ａ）図示下方側の面）には、第１の可動板２２の先端部分を突出させるための切欠きが形成されている。）。また、第３の可動板４２の先端部分は、第３の伸縮部材４０の先端側から見た場合に第３の固定板４１から右側に突出したのちに上方に垂直に曲げられたＬ字状の形状をしている（そのため、第３の固定板４１の表面（図２（ｃ）図示上方側の面）には、第３の可動板４２の先端部分を突出させるための切欠きが形成されている。）。
第１の可動板２２の第１の固定板２１から突出した先端部分の先端面、第２の可動板３２の先端面および第３の可動板４２の第３の固定板４１から突出した先端部分の先端面には、半球体状の第１乃至第３の先端部２２ａ，３２ａ，４２ａがそれぞれ固定されている。
これにより、図１（ｂ）に示すように第１乃至第３の伸縮部材２０，３０，４０を閉じた状態では第１乃至第３の先端部２２ａ，３２ａ，４２ａが横一列に並ぶようにされており、図１（ａ）に示すように第１乃至第３の伸縮部材２０，３０，４０を開いた状態では第１乃至第３の先端部２２ａ，３２ａ，４２ａの高さを揃えることができるようにされている。
【００１６】
図２（ａ）〜（ｃ）に示すように、第１乃至第３の固定板２１，３１，４１の上面の末端部には、支持棒５０を貫通させるための第１乃至第３の貫通孔２１ｂ，３１ｂ，４１ｂがそれぞれ形成されており、第１乃至第３の固定板２１，３１，４１の上面の先端部には、電力ケーブル１の太さを示す数字を表示させるための第１の乃至第３の表示窓２１ｃ，３１ｃ，４１ｃがそれぞれ形成されており、第１乃至第３の固定板２１，３１，４１の上面の第１乃至第３の貫通孔２１ｂ，３１ｂ，４１ｂと第１の乃至第３の表示窓２１ｃ，３１ｃ，４１ｃとの間には、第１乃至第３のノッチ孔２１ａ，３１ａ，４１ａが７個ずつ一列にそれぞれ形成されている。
第１乃至第３の可動板２２，３２，４２の末端部には、第１乃至第３の圧縮バネ（不図示）によって上方に付勢させられた第１乃至第３のノッチピン２２ｂ，３２ｂ，４２ｂがそれぞれ取り付けられている。
【００１７】
７個ずつの第１乃至第３のノッチ孔２１ａ，３１ａ，４１ａは、以下のように形成されている。
たとえば、６６００Ｖ単心ＣＶケーブルの許容曲げ半径は、その太さに応じて以下のように定められている。
（１）太さ１２００ｓｑの許容曲げ半径＝７５０ｍｍ
（２）太さ１０００ｓｑの許容曲げ半径＝７００ｍｍ
（３）太さ８００ｓｑの許容曲げ半径＝６３７．５ｍｍ
（４）太さ６００ｓｑの許容曲げ半径＝５８７．５ｍｍ
（５）太さ４００ｓｑの許容曲げ半径＝５００ｍｍ
（６）太さ３２５ｓｑの許容曲げ半径＝４６２．５ｍｍ
（７）太さ２５０ｓｑの許容曲げ半径＝４２５ｍｍ
そこで、第１の固定板２１の第１の貫通孔２１ｂの中心から先端面までの長さを４２０ｍｍとすると、
（１）７個の第１のノッチ孔２１ａのうち第１の表示窓２１ｃ側の第１のノッチ孔２１ａは、太さ１２００ｓｑの６６００Ｖ単心ＣＶケーブルの曲げ半径が許容曲げ半径以内であるか否かを判定するために、図３（ａ）に示すように第１のノッチピン２２ｂがこの第１のノッチ孔２１ａと係合するまで第１の可動板２２を第１の固定板２１から引き出したときに、第１の貫通孔２１ｂの中心から第１の先端部２２ａの先端までの長さが７５０ｍｍ（＝４２０ｍｍ＋３３０ｍｍ）となる位置に形成されている。
（２）７個の第１のノッチ孔２１ａのうち第１の表示窓２１ｃ側から２番目の第１のノッチ孔２１ａは、太さ１０００ｓｑの６６００Ｖ単心ＣＶケーブルの曲げ半径が許容曲げ半径以内であるか否かを判定するために、図３（ｂ）に示すように第１のノッチピン２２ｂがこの第１のノッチ孔２１ａと係合するまで第１の可動板２２を第１の固定板２１から引き出したときに、第１の貫通孔２１ｂの中心から第１の先端部２２ａの先端までの長さが７００ｍｍ（＝４２０ｍｍ＋２８０ｍｍ）となる位置に形成されている。
（３）７個の第１のノッチ孔２１ａのうち第１の表示窓２１ｃ側から３番目の第１のノッチ孔２１ａは、太さ８００ｓｑの６６００Ｖ単心ＣＶケーブルの曲げ半径が許容曲げ半径以内であるか否かを判定するために、図３（ｃ）に示すように第１のノッチピン２２ｂがこの第１のノッチ孔２１ａと係合するまで第１の可動板２２を第１の固定板２１から引き出したときに、第１の貫通孔２１ｂの中心から第１の先端部２２ａの先端までの長さが６４０ｍｍ（＝４２０ｍｍ＋２２０ｍｍ）となる位置に形成されている。
（４）７個の第１のノッチ孔２１ａのうち第１の表示窓２１ｃ側から４番目の第１のノッチ孔２１ａは、太さ６００ｓｑの６６００Ｖ単心ＣＶケーブルの曲げ半径が許容曲げ半径以内であるか否かを判定するために、図３（ｄ）に示すように第１のノッチピン２２ｂがこの第１のノッチ孔２１ａと係合するまで第１の可動板２２を第１の固定板２１から引き出したときに、第１の貫通孔２１ｂの中心から第１の先端部２２ａの先端までの長さが５９０ｍｍ（＝４２０ｍｍ＋１７０ｍｍ）となる位置に形成されている。
（５）７個の第１のノッチ孔２１ａのうち第１の表示窓２１ｃ側から５番目の第１のノッチ孔２１ａは、太さ４００ｓｑの６６００Ｖ単心ＣＶケーブルの曲げ半径が許容曲げ半径以内であるか否かを判定するために、図４（ａ）に示すように第１のノッチピン２２ｂがこの第１のノッチ孔２１ａと係合するまで第１の可動板２２を第１の固定板２１から引き出したときに、第１の貫通孔２１ｂの中心から第１の先端部２２ａの先端までの長さが５００ｍｍ（＝４２０ｍｍ＋８０ｍｍ）となる位置に形成されている。
（６）７個の第１のノッチ孔２１ａのうち第１の表示窓２１ｃ側から６番目の第１のノッチ孔２１ａは、太さ３２５ｓｑの６６００Ｖ単心ＣＶケーブルの曲げ半径が許容曲げ半径以内であるか否かを判定するために、図４（ｂ）に示すように第１のノッチピン２２ｂがこの第１のノッチ孔２１ａと係合するまで第１の可動板２２を第１の固定板２１から引き出したときに、第１の貫通孔２１ｂの中心から第１の先端部２２ａの先端までの長さが４６５ｍｍ（＝４２０ｍｍ＋４５ｍｍ）となる位置に形成されている。
（７）７個の第１のノッチ孔２１ａのうち第１の表示窓２１ｃ側から７番目の第１のノッチ孔２１ａは、太さ２５０ｓｑの６６００Ｖ単心ＣＶケーブルの曲げ半径が許容曲げ半径以内であるか否かを判定するために、図４（ｃ）に示すように第１の可動板２２を第１の固定板２１に収納したときに第１のノッチピン２２ｂがこの第１のノッチ孔２１ａと係合して、第１の貫通孔２１ｂの中心から第１の先端部２２ａの先端までの長さが４２５ｍｍ（＝４２０ｍｍ＋５ｍｍ）となる位置に形成されている。
なお、７個の第１のノッチ孔２１ａのうち第１の表示窓２１ｃ側から３、４および６番目の第１のノッチ孔２１ａについては、第１の貫通孔２１ｂの中心から第１の先端部２２ａの先端までの長さが太さ８００ｓｑ、６００ｓｑおよび３２５ｓｑの許容曲げ半径（＝６３７．５ｍｍ、５８７．５ｍｍおよび４６２．５ｍｍ）と厳密には一致しないが、６６００Ｖ単心ＣＶケーブルが許容曲げ半径未満で曲げられていないかを調べることが目的であるため、この程度の誤差が問題となることはない。
第２の固定板３１の７個の第２のノッチ孔３１ａは、図５（ａ）〜（ｄ）および図６（ａ）〜（ｃ）に示すように、第１の固定板２１の７個の第１のノッチ孔２１ａと同様に形成されている。
第３の固定板４１の７個の第３のノッチ孔４１ａは、図示していないが、第１の固定板２１の７個の第１のノッチ孔２１ａと同様に形成されている。
【００１８】
第１乃至第３の可動板２２，３２，４２の上面には、６６００Ｖ単心ＣＶケーブルの上記の７つの太さをそれぞれ示す７つの数字“１２００”、“１０００”、“８００”、“６００”、“４００”、“３２５”および“２５０”が、第１乃至第３のノッチピン２２ａ，３２ａ，４２ａを第１乃至第３のノッチ孔２１ａ，３１ａ，４１ａと係合させたときに７つの数字“１２００”、“１０００”、“８００”、“６００”、“４００”、“３２５”および“２５０”のうち対応する６６００Ｖ単心ＣＶケーブルの太さを示す１つの数字が第１乃至第３の表示窓２１ｃ，３１ｃ，４１ｃに表示される位置に記されている（図３（ａ）〜（ｄ）、図４（ａ）〜（ｃ）、図５（ａ）〜（ｄ）および図６（ａ）〜（ｃ）参照）。
【００１９】
次に、曲げ半径判定装置１０の使用方法について、図７（ａ），（ｂ）を参照して説明する。
作業員は、曲げ半径判定装置１０の第１および第２の伸縮部材２０，３０を重ねた状態で第３の伸縮部材４０を第１および第２の伸縮部材２０，３０に対して開いたのち、布設方向に沿って地面に設置された複数個の電力ケーブル載置台に載せられて布設された電力ケーブル１の曲部の判定範囲の一方の端の内側の外面に第１および第２の伸縮部材２０，３０の第１および第２の先端部２２ａ，３２ａを当接させるとともに、電力ケーブル１の曲部の判定範囲の他方の端の内側の外面に第３の伸縮部材４０の第３の先端部４２ａを当接させる。
【００２０】
その後、作業員は、第２の伸縮部材３０を第１の伸縮部材２０から第３の伸縮部材４０に向けて移動させる。
【００２１】
このとき、電力ケーブル１の曲部の曲げ半径が許容曲げ半径と等しい場合には、図７（ａ）に示すように第２の伸縮部材３０の第２の先端部３２ａは電力ケーブル１の曲部の内側の外面に当接したまま第１の伸縮部材２０から第３の伸縮部材４０まで移動する。
一方、電力ケーブル１の曲部の曲げ半径が許容曲げ半径未満である場合には、図７（ｂ）に示すように第２の伸縮部材３０の第２の先端部３２ａは電力ケーブル１の曲部の内側の外面から離れたまま第１の伸縮部材２０から第３の伸縮部材４０まで移動する。
その結果、作業員は、電力ケーブル１の曲部の曲げ半径が許容曲げ半径以内であるか否かを容易に判定することができる。
なお、電力ケーブル１の曲部の曲げ半径が許容曲げ半径よりも大きい場合には、第２の伸縮部材３０の第２の先端部３２ａが電力ケーブル１の曲部の内側の外面に押されて第２の伸縮部材３０の第２の可動板２２が縮むため、作業員は、電力ケーブル１の曲部の曲げ半径が許容曲げ半径よりも大きいと容易に判定することができる。
【００２２】
以上の説明では、第１乃至第３の伸縮部材２０，３０，４０の第１乃至第３の固定板２１，３１，４１の上面に第１乃至第３の表示窓２１ｃ，３１ｃ，４１ｃを形成したが、その代わりに、７個ずつの第１乃至第３のノッチ孔２１ａ，３１ａ，４１ａの位置に電力ケーブル１の太さを示す識別線を記しておいてもよい。
【符号の説明】
【００２３】
１  電力ケーブル
１０  曲げ半径判定装置
２０，３０，４０  第１乃至第３の伸縮部材
２１，３１，４１  第１乃至第３の固定板
２１ａ，３１ａ，４１ａ  第１乃至第３のノッチ孔
２１ｂ，３１ｂ，４１ｂ  第１乃至第３の貫通孔
２１ｃ，３１ｃ，４１ｃ  第１乃至第３の表示窓
２２，３２，４２  第１乃至第３の可動板
２２ａ，３２ａ，４２ａ  第１乃至第３の先端部
２２ｂ，３２ｂ，４２ｂ  第１乃至第３のノッチピン
５０  支持棒
【図１】
2014137315.tif 000003
【図２】
2014137315.tif 000004
【図３】
2014137315.tif 000005
【図４】
2014137315.tif 000006
【図５】
2014137315.tif 000007
【図６】
2014137315.tif 000008
【図７】
2014137315.tif 000009